(57)【要約】【課題】導入コスト抑制や利便性向上を実現しつつセキュリティ性やリアルタイム性低下を抑制可能な無線表示システムを提供する。【解決手段】無線表示システム１００は、受信した表示データに基づき情報を表示する複数の無線表示器１０と、表示データを送信する管理サーバ２０と、管理サーバ２０から送信された表示データを受信して無線表示器１０へ送信するアクセスポイント６０と、を備える。各無線表示器１０とアクセスポイント６０とは、ＬＡＮ５を介して無線通信を行う。管理サーバ２０とアクセスポイント６０とは、ＷＡＮ３を介してポーリング方式によって通信を行う。アクセスポイント６０は、所定のタイミングで、管理サーバ２０に対してリクエスト信号を送信する。管理サーバ２０は、受信したリクエスト信号の送信元のアクセスポイント６０に対して、新たに生成された表示データを送信する。【選択図】図１１
2017057058.tif 000002
【特許請求の範囲】
【請求項１】
受信した表示データに基づき情報を表示する複数の無線表示器と、
前記表示データを送信する管理サーバと、
前記管理サーバから送信された前記表示データを受信して前記無線表示器へ送信する中継装置と、
を備え、
各前記無線表示器と前記中継装置とは、ＬＡＮ（Local Area Network）を介して無線通信を行い、
前記管理サーバと前記中継装置とは、ＷＡＮ（Wide Area Network）を介してポーリング方式によって通信を行い、
前記中継装置は、所定のタイミングで前記管理サーバに対してリクエスト信号を送信し、
前記管理サーバは、受信した前記リクエスト信号の送信元の前記中継装置に対して、新たに生成された前記表示データを送信する、
無線表示システム。
【請求項２】
前記管理サーバは、
非同期通信方式で前記中継装置と通信を行い、
前記リクエスト信号を受信後、受信した前記リクエスト信号の送信元の前記中継装置に対して送信すべき新たな前記表示データが生成された時に、前記表示データを送信する、
請求項１に記載の無線表示システム。
【請求項３】
前記管理サーバは、前記表示データを生成する第１管理サーバと、前記第１管理サーバによって生成された前記表示データを記憶する表示データ記憶部と、前記リクエスト信号を受信する第２管理サーバと、を含み、
前記第１管理サーバは、新たな前記表示データを生成した場合、新たな前記表示データを生成したことを通知する通知信号を、前記第２管理サーバに対して送信し、
前記第２管理サーバは、前記通知信号を受信した場合、受信した前記通知信号に係る前記表示データを前記表示データ記憶部から取得して前記中継装置に対して送信する、
請求項１又は２に記載の無線表示システム。
【発明の詳細な説明】
【技術分野】
【０００１】
本発明は、無線表示システムに関する。
【背景技術】
【０００２】
従来、管理サーバから送信された表示データを受信して表示する複数の無線表示器を備えた無線表示システムが知られている。例えば、特許文献１（特開２００７−１８２２８０号公報）には、配送センターや出荷センター等の物流倉庫において、人手によって行われる物品の仕分けが誤りなく行われているか否かを確認する仕分けシステムとして、無線表示システムが開示されている。特許文献１では、管理サーバによって生成された表示データが、管理サーバから中継装置へと送られ、中継装置から無線表示器へと無線通信によって送信されている。
【発明の概要】
【発明が解決しようとする課題】
【０００３】
上述の無線表示システムでは、管理サーバは、特許文献１に示されるように無線表示システムが適用される施設の構内に設置され、ＬＡＮ（Local Area Network）を介して中継装置及び無線表示器と通信を行う。しかし、昨今、導入コスト抑制や利便性向上等の観点から、無線表示システムが適用される施設から離れた遠隔地に設置された管理サーバを利用してＷＡＮ（Wide Area Network）を介して無線表示システムを構築することのニーズが高まっている。一方で、遠隔地に設置された管理サーバを用いて無線表示システムを構築する場合には、セキュリティ性やリアルタイム性の低下抑制を考慮する必要がある。
【０００４】
そこで、本発明の課題は、導入コスト抑制や利便性向上を実現しつつセキュリティ性やリアルタイム性低下を抑制可能な無線表示システムを提供することである。
【課題を解決するための手段】
【０００５】
本発明の第１観点に係る無線表示システムは、複数の無線表示器と、管理サーバと、中継装置と、を備える。無線表示器は、受信した表示データに基づき情報を表示する。管理サーバは、無線表示器において表示させる情報に係る表示データを送信する。中継装置は、管理サーバから送信された表示データを受信して無線表示器へ送信する。各無線表示器と中継装置とは、ＬＡＮ（Local Area Network）を介して無線通信を行う。管理サーバと中継装置とは、ＷＡＮ（Wide Area Network）を介して通信を行う。管理サーバと中継装置とは、ポーリング方式によって通信を行う。中継装置は、所定のタイミングで、管理サーバに対してリクエスト信号を送信する。管理サーバは、受信したリクエスト信号の送信元の中継装置に対して、新たに生成された表示データを送信する。
【０００６】
本発明の第１観点に係る無線表示システムでは、各無線表示器と中継装置とはＬＡＮを介して無線通信を行い、管理サーバと中継装置とはＷＡＮを介して通信を行い、中継装置は管理サーバから送信された表示データを受信して無線表示器へ送信する。これにより、無線表示システムが適用される施設から離れた遠隔地に設置された管理サーバを利用して無線表示システムを構築することが可能となる。よって、導入コスト抑制や利便性向上が実現される。
【０００７】
また、本発明の第１観点に係る無線表示システムでは、管理サーバと中継装置とはポーリング方式によって通信を行い、中継装置は所定のタイミングで管理サーバに対してリクエスト信号を送信し、管理サーバは受信したリクエスト信号の送信元の中継装置に対して新たに生成された表示データを送信する。これにより、中継装置において、ＷＡＮ側から受信するデータに関して、送信したリクエスト信号に対する応答信号としての表示データのみを受信するように構成することが可能となる。すなわち、中継装置においてＷＡＮ側のポートにファイアウォールを構築することが可能となる。よって、セキュリティ性の低下を抑制可能である。
【０００８】
また、管理サーバ及び中継装置における通信がポーリング方式によって行われることに関連して、管理サーバにおいて、受信したリクエスト信号の送信元の中継装置に関して新たに生成された表示データを、生成された直後に送信することも可能となる。すなわち、管理サーバにおいて応答性低下を抑制することが可能となる。よって、リアルタイム性の低下を抑制可能である。
【０００９】
本発明の第２観点に係る無線表示システムは、第１観点に係る無線表示システムであって、管理サーバは、非同期通信方式で中継装置と通信を行う。管理サーバは、リクエスト信号を受信後、受信したリクエスト信号の送信元の中継装置に対して送信すべき新たな表示データが生成された時に、表示データを送信する。
【００１０】
これにより、管理サーバにおいて、送信されたリクエスト信号が保持され、受信したリクエスト信号の送信元の中継装置に関して新たに表示データが生成された場合、当該表示データが直ちに送信される。すなわち、管理サーバにおいて応答性が向上する。よって、リアルタイム性がさらに向上する。
【００１１】
本発明の第３観点に係る無線表示システムは、第１観点又は第２観点に係る無線表示システムであって、管理サーバは、第１管理サーバと、表示データ記憶部と、第２管理サーバと、を含む。第１管理サーバは、表示データを生成する。表示データ記憶部は、第１管理サーバによって生成された表示データを記憶する。第２管理サーバは、リクエスト信号を受信する。第１管理サーバは、新たな表示データを生成した場合、通知信号を第２管理サーバに対して送信する。通知信号は、新たな表示データを生成したことを通知する信号である。第２管理サーバは、通知信号を受信した場合、受信した通知信号に係る表示データを、表示データ記憶部から取得して中継装置に対して送信する。
【００１２】
これにより、管理サーバにおいて負荷分散が実現される。その結果、管理サーバにおいて処理すべき負荷が増大した時であっても応答性の低下が抑制される。よって、さらにリアルタイム性に優れる。
【発明の効果】
【００１３】
本発明に係る無線表示システムでは、無線表示システムが適用される施設から離れた遠隔地に設置された管理サーバを利用して無線表示システムを構築することが可能となる。よって、導入コスト抑制や利便性向上が実現される。
【００１４】
また、中継装置において、ＷＡＮ側から受信するデータに関して、送信したリクエスト信号に対する応答信号としての表示データのみを受信するように構成することが可能となる。すなわち、中継装置においてＷＡＮ側のポートにファイアウォールを構築することが可能となる。よって、セキュリティ性の低下を抑制可能である。
【００１５】
また、管理サーバにおいて、受信したリクエスト信号の送信元の中継装置に関して新たに生成された表示データを、生成された直後に送信することも可能となる。すなわち、管理サーバにおいて応答性低下を抑制することが可能となる。よって、リアルタイム性の低下を抑制可能である。
【図面の簡単な説明】
【００１６】
【図１】本発明の一実施形態に係る無線表示システムの概略構成図。
【図２】無線表示器の正面外観図。
【図３】無線表示器の概略構成を示したブロック図。
【図４】管理サーバの概略構成を概念的に示したブロック図。
【図５】表示器情報テーブルの模式図。
【図６】物品情報テーブルの模式図。
【図７】リクエストテーブルの模式図。
【図８】アクセスポイントの概略構成を概念的に示したブロック図。
【図９】管理サーバの処理の流れの一例を示したフローチャート。
【図１０】アクセスポイントの処理の流れの一例を示したフローチャート。
【図１１】無線表示システムにおいて、無線表示器、管理サーバ、及びアクセスポイント間で行われる処理の一例を模式的に示したシーケンス図。
【図１２】管理サーバにおける表示データの送信が同期通信方式で行われる場合の無線表示器、管理サーバ、及びアクセスポイント間で行われる処理の一例を模式的に示したシーケンス図。
【図１３】無線表示システムにおいて、第１サーバ、第２サーバ、及びデータベースサーバ間で行われる処理の一例を模式的に示したシーケンス図。
【発明を実施するための形態】
【００１７】
以下、図面を参照しながら、本発明の一実施形態に係る無線表示システム１００について説明する。なお、以下の実施形態は、本発明の具体例であって、本発明の技術的範囲を限定するものではなく、発明の要旨を逸脱しない範囲で適宜変更が可能である。
【００１８】
（１）無線表示システム１００の全体構成
図１は、本発明の一実施形態に係る無線表示システム１００の概略構成図である。
【００１９】
無線表示システム１００は、対象物（表示する情報に係る物品や空間）と対応づけられた所定の位置において複数の無線表示器（無線表示器１０）を配置し、各無線表示器において、管理装置（管理サーバ２０）から送信された表示データを対象物に関する情報として適宜表示するシステムである。
【００２０】
本実施形態において、無線表示システム１００は、配送センターや出荷センター等の物流センター１に適用されている。物流センター１においては、多種類の物品Ｐが在庫として保管されている。物流センター１では、受注に応じて、在庫として保管している物品Ｐを適宜発送する。
【００２１】
物流センター１においては、物品Ｐの種類数に応じた数の保管セクション２が設けられている。各保管セクション２は、いずれかの種類の物品Ｐと個別に対応付けられている。各保管セクション２には、物品Ｐを収容するための物品収容棚が配置されており、当該物品収容棚において、対応する種類の物品Ｐが収容されている。
【００２２】
各保管セクション２には、物品Ｐに係る物品情報を表示する表示器として無線表示器１０が設置されている。無線表示器１０は、受信する表示データに基づき、当該保管セクション２において収容される物品Ｐに関する物品情報（具体的には、物品コード、物品名、在庫数、出荷日、受注個数、及び配送先等に関する情報）を表示する。
【００２３】
無線表示システム１００は、主として、複数の無線表示器１０と、無線表示器１０に宛てて表示データを送信する管理サーバ２０と、管理サーバ２０が送信した表示データを中継するアクセスポイント６０（中継装置）と、各無線表示器１０の識別情報（装置ＩＤ）を取得するために用いられるハンディターミナル７０と、を有している。
【００２４】
無線表示システム１００では、管理サーバ２０と各アクセスポイント６０とが、ＷＡＮ（Wide Area Network）３を介して通信可能に接続されている。ＷＡＮ３は、物流センター１の構外において構築されている通信ネットワークであり、例えば公衆回線を用いて構築されるインターネットである。なお、ＷＡＮ３とアクセスポイント６０の間においては、通信ケーブル等によって伝送路４が構築されている。伝送路４上には、モデム又はＯＮＵ等の信号変換装置が配置される（図示省略）。
【００２５】
また、無線表示システム１００では、各無線表示器１０と各アクセスポイント６０とが、ＬＡＮ（Local Area Network）５を介して通信可能に接続されている。ＬＡＮ５は、物流センター１の構内において構築されている無線通信ネットワークである。ＬＡＮ５においては、例えば２．４ＧＨｚ帯の電波を用いた信号の送受信が行われる。
【００２６】
無線表示システム１００では、各無線表示器１０において表示される表示データは、管理サーバ２０において生成される。なお、後述するが、管理サーバ２０は、第１サーバ３０（第１管理サーバ）と、第２サーバ４０（第２管理サーバ）と、データベースサーバ５０（表示データ記憶部）と、がＷＡＮ３を介して通信可能に接続されることで構成されている。
【００２７】
無線表示システム１００では、管理サーバ２０において生成された表示データは、ＷＡＮ３を介して、当該表示データに係る物品情報を表示する無線表示器１０へ宛てて、中継先となるアクセスポイント６０へと送信される。アクセスポイント６０へと送信された表示データは、ＬＡＮ５を介して宛先となっている無線表示器１０へ送信される。
【００２８】
本実施形態では、管理サーバ２０及びアクセスポイント６０間における表示データの送受信に関しては、アクセスポイント６０が所定のタイミングでリクエスト信号を送信することによって新たな表示データの有無の問い合わせを行うポーリング方式によって行われる。また、管理サーバ２０からアクセスポイント６０に対する表示データの送信に関しては、表示データが生成されたタイミングで行われる。すなわち、管理サーバ２０からアクセスポイント６０に対する表示データの送信は、リクエスト信号に同期して行われる同期通信方式ではなく、リクエスト信号に同期せずに行われる非同期通信方式が採用されている。
【００２９】
（２）無線表示システム１００の詳細な構成
（２−１）無線表示器１０
図２は、無線表示器１０の正面外観図である。図３は、無線表示器１０の概略構成を示したブロック図である。
【００３０】
無線表示器１０は、無線通信によって受信した表示データに基づき物品情報を表示する装置である。無線表示器１０は、中継装置（アクセスポイント６０）と、電波を用いた電波通信方式による無線通信を行う。
【００３１】
無線表示器１０は、外郭を構成する表示器ケーシング１０１と、物品情報を表示する情報表示部１２と、駆動電源を供給する電源部１３と、表示器制御部１４と、表示器識別用バーコード１５と、を有している。また、無線表示器１０は、他の装置と無線通信を行う通信モジュールを含む表示器通信部１１を有している。
【００３２】
（２−１−１）表示器ケーシング１０１
表示器ケーシング１０１は、薄型の略直方体状の筐体である。表示器ケーシング１０１の正面（一方主面）には、大きな開口が形成されており、当該開口を介して、情報表示部１２（より詳細には情報表示部１２のカバー部分）が外部に露出している。
【００３３】
（２−１−２）情報表示部１２
情報表示部１２は、マイクロカプセル方式、電子粉流体方式、液晶方式、エレクトロウェッティング方式、又は電気泳動方式等の電子ペーパを有している（図示省略）。情報表示部１２は、表示器制御部１４と電気的に接続されており、表示器制御部１４によって電子ペーパの動作を制御される。情報表示部１２は、表示器制御部１４から所定の駆動電圧を供給されることで、管理サーバ２０から送信された表示データに基づき情報を表示する。
【００３４】
図２においては、物品コードを示す数字「１５０４２９」、物品名を示すテキスト「○○キャンディ」、在庫数を示す数字「２３３」、出荷日を示す数字「２０１５／９／１４」、受注数を示す数字「１００」、及び出荷先を示すテキスト「△△商店」が、表示データに基づく物品情報として情報表示部１２に表示されている。
【００３５】
（２−１−３）電源部１３
電源部１３は、無線表示器１０の駆動電源を供給するためのユニットである。電源部１３は、リチウム電池等の電池を含んでいる（図示省略）。
【００３６】
（２−１−４）表示器制御部１４
表示器制御部１４は、無線表示器１０の動作を制御する機能部である。表示器制御部１４は、ＣＰＵ及びメモリを含むマイクロコンピュータを有している。表示器制御部１４は、主として、表示器記憶部１４１と、表示制御部１４２と、を含んでいる。
【００３７】
表示器記憶部１４１は、ＲＡＭ、ＲＯＭ及びフラッシュメモリ等のメモリで構成され、複数の記憶領域を含んでいる。表示器記憶部１４１にはプログラム記憶領域Ｍ１が含まれ、プログラム記憶領域Ｍ１には表示器制御部１４の処理や、他の装置との通信に使用される通信プロトコル等が定義された制御プログラムが格納されている。また、表示器記憶部１４１にはアドレス記憶領域Ｍ２が含まれ、アドレス記憶領域Ｍ２には、無線表示器１０に割り振られる装置ＩＤが記憶されている。また、表示器記憶部１４１には受信データ記憶領域Ｍ３が含まれ、受信データ記憶領域Ｍ３には、受信した情報（例えば管理サーバ２０から送信されアクセスポイント６０によって中継された表示データ）が記憶される。
【００３８】
表示制御部１４２は、制御プログラムに沿って情報表示部１２の動作を制御する。表示制御部１４２は、受信データ記憶領域Ｍ３に記憶されている（すなわち、管理サーバ２０から送信された）表示データを取得する。表示制御部１４２は、取得した表示データに基づく物品情報が情報表示部１２において表示されるように、情報表示部１２に対して所定の電圧を供給する。
【００３９】
（２−１−５）表示器識別用バーコード１５
表示器識別用バーコード１５は、各無線表示器１０を識別するためのコード（識別情報）を保持している。表示器識別用バーコード１５は、表示器ケーシング１０１の正面部分において、情報表示部１２とは外れた位置に貼り付けられている。
【００４０】
（２−１−６）表示器通信部１１
表示器通信部１１は、無線表示器１０において、アクセスポイント６０と電波を用いた無線通信（より詳細にはアクセスポイント６０を介した管理サーバ２０との通信）を行うためのモジュールである。本実施形態において、表示器通信部１１は、２．４ＧＨｚ帯の電波を使用して無線通信を行うためのアンテナ、通信回路及びベースバンドＬＳＩを含んでいる。
【００４１】
（２−２）管理サーバ２０
管理サーバ２０は、無線表示システム１００の動作を統括的に制御する。管理サーバ２０は、物流センター１の構外（すなわち、無線表示システム１００が適用される施設から離れた遠隔地）に配置されている。本実施形態において、管理サーバ２０は、表示データを生成する第１サーバ３０と、アクセスポイント６０から送信されるリクエスト信号（後述）を受信する第２サーバ４０と、第１サーバ３０が生成した表示データを記憶するデータベースサーバ５０と、を含んでいる。管理サーバ２０は、第１サーバ３０と、第２サーバ４０と、データベースサーバ５０と、がＷＡＮ３を介して通信可能に接続されることで構成されている。
【００４２】
図４は、管理サーバ２０の概略構成を概念的に示したブロック図である。管理サーバ２０は、ＣＰＵや、ＲＡＭ、ＲＯＭ又はフラッシュメモリ等のメモリを含み、管理装置として要求される処理を実行するための機能部として、主に、サーバ入出力部２０１と、サーバ通信部２０２と、プログラム記憶部２０３と、表示データ記憶部２０４と、表示器情報記憶部２０５と、物品情報記憶部２０６と、リクエスト信号記憶部２０７と、表示データ生成部２０８と、表示器情報テーブル管理部２０９と、リクエストテーブル管理部２１０と、表示データ出力制御部２１１と、を有している。以下、各機能部について説明する。
【００４３】
（２−２−１）サーバ入出力部２０１
サーバ入出力部２０１は、システム管理者がコマンドを入力し、また、システム管理者に対して情報を表示するインターフェースとしての役割を果たす。サーバ入出力部２０１は、入力部としてのキーボードと、出力部としての液晶ディスプレイと、を含む（図示省略）。本実施形態において、サーバ入出力部２０１は、第１サーバ３０に含まれている。
【００４４】
（２−２−２）サーバ通信部２０２
サーバ通信部２０２は、アクセスポイント６０との通信（より詳細にはアクセスポイント６０を介した無線表示器１０及びハンディターミナル７０との通信）を行うための通信回路及びベースバンドＬＳＩを含んでいる。本実施形態において、サーバ通信部２０２は、第２サーバ４０に含まれている。
【００４５】
（２−２−３）プログラム記憶部２０３
プログラム記憶部２０３は、所定の記憶容量を含むメモリであり、管理サーバ２０の処理や、他の装置との通信に使用される通信プロトコル等が定義された制御プログラムを記憶している。本実施形態において、プログラム記憶部２０３は、第１サーバ３０及び第２サーバ４０に含まれている。
【００４６】
（２−２−４）表示データ記憶部２０４
表示データ記憶部２０４は、所定の記憶容量を含むメモリであり、表示データ生成部２０８によって生成された表示データを記憶している。本実施形態において、表示データ記憶部２０４は、データベースサーバ５０に含まれている。
【００４７】
（２−２−５）表示器情報記憶部２０５
表示器情報記憶部２０５は、所定の記憶容量を含むメモリであり、無線表示器１０に対して表示データを送信する際に用いられる表示器情報テーブルＴＢ１を記憶している。本実施形態において、表示器情報記憶部２０５は、第２サーバ４０に含まれている。
【００４８】
図５は、表示器情報テーブルＴＢ１の模式図である。表示器情報テーブルＴＢ１には、各無線表示器１０の装置ＩＤ、各無線表示器１０に信号を送信する際の中継先（すなわちアクセスポイント６０）の通信アドレス、各無線表示器１０の対応物品Ｐ（物品名）、及び対応物品Ｐの物品コードに関する情報が、関連付けられて記載されている。
【００４９】
例えば図５に示す表示器情報テーブルＴＢ１においては、各無線表示器１０の装置ＩＤを示す列において、テキスト「Ｆ１３５６」、「Ｆ２１５４」、・・・及び「Ｆ２５５２」が記載されている。
【００５０】
また、各無線表示器１０に信号を送信する際の中継先（アクセスポイント６０）の通信アドレスを示す列において、テキスト「172.16.**.01」、「172.16.**.02」、及び「172.16.**.03」が記載されている。
【００５１】
また、各無線表示器１０の対応物品Ｐを示す列において、テキスト「○○チョコレート」、「××チョコレート」、・・・「○○キャンディ」、・・・及び「△△キャンディ」が記載されている。
【００５２】
また、対応物品Ｐの物品コードを示す列において、テキスト「150426」、「150427」、・・・「150429」、・・・及び「150431」が記載されている。テキスト「150426」は「○○チョコレート」の物品コードを示しており、「150427」は「××チョコレート」の物品コードを示しており、・・・「150429」は「○○キャンディ」の物品コードを示しており、・・・「150431」は「△△キャンディ」の物品コードを示している。
【００５３】
（２−２−６）物品情報記憶部２０６
物品情報記憶部２０６は、所定の記憶容量を含むメモリであり、無線表示器１０に送信する表示データを生成するための各種情報が記述された物品情報テーブルＴＢ２を記憶している。本実施形態において、物品情報記憶部２０６は、第１サーバ３０に含まれている。
【００５４】
図６は、物品情報テーブルＴＢ２の模式図である。物品情報テーブルＴＢ２は、システム管理者によってサーバ入出力部２０１を介して適宜更新される。図６に示すように、物品情報テーブルＴＢ２には、複数の情報（具体的には、各物品Ｐの、物品名、物品コード、在庫数（保管セクション２において保管されている数）、出荷日、受注数、出荷先、及び特記事項）が、関連付けられて記載されている。
【００５５】
例えば、図６に示す物品情報テーブルＴＢ２においては、物品名を記載する列において（上から５番目の行に）はテキスト「○○キャンディ」が記載されており、「○○キャンディ」の行には当該物品に関連付けられて、物品コードを示すテキスト「１５０４２９」、在庫数を示すテキスト「２３３」、出荷日を示すテキスト「2015/9/14」、受注数を示すテキスト「１００」、及び出荷先を示すテキスト「△△商店」が記載されている。
【００５６】
（２−２−７）リクエスト信号記憶部２０７
リクエスト信号記憶部２０７は、所定の記憶容量を含むメモリであり、各アクセスポイント６０からのリクエスト信号の有無を判別するリクエストテーブルＴＢ３を記憶している。本実施形態において、表示器情報記憶部２０５は、第２サーバ４０に含まれている。
【００５７】
図７は、リクエストテーブルＴＢ３の模式図である。図７に示すように、リクエストテーブルＴＢ３には、複数の情報（具体的には、各アクセスポイント６０の装置ＩＤ、各アクセスポイント６０の通信アドレス、及び各アクセスポイント６０から送信されたリクエスト信号の受信日時）が関連付けて記載されている。
【００５８】
例えば、図７に示すリクエストテーブルＴＢ３においては、各アクセスポイント６０の装置ＩＤを示す列において、テキスト「Ａ２５８０」、「Ａ３１５８」、「Ａ１２５８」及び「Ａ３２８１」が記載されている。
【００５９】
また、各アクセスポイント６０の通信アドレスを示す列において、テキスト「172.16.**.01」、「172.16.**.02」、「172.16.**.03」及び「172.16.**.04」が記載されている。
【００６０】
また、各アクセスポイント６０から送信されたリクエスト信号の受信日時を示す列において、テキスト「2015/09/12/11:07:35」、「2015/09/12/11:09:10」、「2015/09/12/11:11:08」、及び「2015/09/12/11:05:21」が記載されている。図７において、「2015/09/12/11:07:35」は、装置ＩＤが「Ａ２５８０」であって通信アドレスが「172.16.**.01」のアクセスポイント６０から送信されたリクエスト信号を２０１５年９月１２日の午前１１時７分３５秒に受信したことを示している。
【００６１】
（２−２−８）表示データ生成部２０８
表示データ生成部２０８は、物品情報記憶部２０６に格納される物品情報テーブルＴＢ２を参照し、各種情報に基づいて表示データを生成する。本実施形態において、表示データ生成部２０８は、第１サーバ３０に含まれている。
【００６２】
（２−２−９）表示器情報テーブル管理部２０９
表示器情報テーブル管理部２０９は、後述する装置ＩＤ情報（ハンディターミナル７０から送信された、無線表示器１０の装置ＩＤと対応物品Ｐの物品コードとが対応付けられた情報）を送信されると、サーバ通信部２０２を介してこれらを受信し、受信した装置ＩＤと、対応物品Ｐの物品コードと、を関連付けて記載することで表示器情報テーブルＴＢ１を更新する。本実施形態において、表示器情報テーブル管理部２０９は、第２サーバ４０に含まれている。
【００６３】
（２−２−１０）リクエストテーブル管理部２１０
リクエストテーブル管理部２１０は、各アクセスポイント６０から送信されるリクエスト信号を受信する度に、リクエストテーブルＴＢ３を更新する。本実施形態において、リクエストテーブル管理部２１０は、第２サーバ４０に含まれている。
【００６４】
（２−２−１１）表示データ出力制御部２１１
表示データ出力制御部２１１は、表示データ生成部２０８によって生成された表示データを、対応する無線表示器１０に宛てて送信する。本実施形態において、表示データ出力制御部２１１は、第２サーバ４０に含まれている。
【００６５】
表示データ出力制御部２１１は、受信したリクエスト信号に対する応答として、アクセスポイント６０に対し表示データを送信する。具体的に、表示データ出力制御部２１１は、表示データを送信する際、表示器情報記憶部２０５に記憶されている表示器情報テーブルＴＢ１を参照し、送信先の無線表示器１０の装置ＩＤに基づき対応するアクセスポイント６０（中継先）の通信アドレスを取得する。
【００６６】
また、表示データ出力制御部２１１は、リクエスト信号記憶部２０７に記憶されているリクエストテーブルＴＢ３を参照し、中継先のアクセスポイント６０から送信されたリクエスト信号を正常に受信しているか否か（具体的には、直近のリクエスト信号を受信してから所定時間ｔ１（後述）が経過していないか否か）を判定する。当該判定の結果、中継先のアクセスポイント６０から送信されたリクエスト信号を正常に受信している場合には、表示データ出力制御部２１１は、表示データを、対応する無線表示器１０に宛てて中継先のアクセスポイント６０へ送信する。一方、通信異常等によりリクエスト信号を正常に受信していない場合には、表示データ出力制御部２１１は、中継先のアクセスポイント６０から送信された新たなリクエスト信号を受信するまで生成された表示データの送信は行わず、新たなリクエスト信号を受信してから係る表示データの送信を行う。
【００６７】
このように、表示データ出力制御部２１１は、受信したリクエスト信号に対する応答として表示データを送信する。表示データ出力制御部２１１は、表示データを送信する際、いずれのリクエスト信号に対応する表示データであるかを特定するデータを付加して送信する。
【００６８】
（２−３）アクセスポイント６０
アクセスポイント６０は、所定のプロトコルを用いて管理サーバ２０及び無線表示器１０と通信を行う。各アクセスポイント６０は、物流センター１の天井や側壁等に、他のアクセスポイント６０と間隔を空けて設置されている。
【００６９】
アクセスポイント６０は、各無線表示器１０又はハンディターミナル７０と、管理サーバ２０と、の間で送受信される各種信号を中継する中継装置としての役割を担っている。また、アクセスポイント６０は、ＷＡＮ３からＬＡＮ５に対して送信されるデータのフィルタリングを行うことによってファイアウォールを構築する役割を担っている。
【００７０】
アクセスポイント６０は、管理サーバ２０から送られた表示データを受信し、表示データの宛先として指定されている無線表示器１０に対して送信（転送）する。また、アクセスポイント６０は、ハンディターミナル７０から送られた装置ＩＤ情報を受信し、管理サーバ２０（第２サーバ４０）に対して送信（転送）する。この際、アクセスポイント６０は、装置ＩＤ情報に自己の通信アドレスを付加して送信する。
【００７１】
図８は、アクセスポイント６０の概略構成を概念的に示したブロック図である。アクセスポイント６０は、主として、ＡＰ第１通信部６１と、ＡＰ第２通信部６２と、ＡＰ制御部６３と、を有している。
【００７２】
（２−３−１）ＡＰ第１通信部６１
ＡＰ第１通信部６１は、ＷＡＮ３を介した通信（すなわち、管理サーバ２０との通信）を実現するための通信モジュールであり、信号送信回路及び信号受信回路を含む（図示省略）。
【００７３】
（２−３−２）ＡＰ第２通信部６２
ＡＰ第２通信部６２は、ＬＡＮ５を介した通信（すなわち、無線表示器１０又はハンディターミナル７０との通信）を実現するための通信モジュールであり、信号送信回路及び信号受信回路を含む（図示省略）。
【００７４】
（２−３−３）ＡＰ制御部６３
ＡＰ制御部６３は、ＣＰＵや、ＲＡＭ、ＲＯＭ又はフラッシュメモリ等のメモリを含む。ＡＰ制御部６３は、ＡＰ第１通信部６１及びＡＰ第２通信部６２と電気的に接続されている。ＡＰ制御部６３は、中継装置として要求される処理を実現するための機能部として、主に、ＡＰ記憶部６４と、ＡＰ第１通信制御部６５と、ＡＰ第２通信制御部６６と、ＡＰリクエスト信号生成部６７と、を有している。
【００７５】
（２−３−３−１）ＡＰ記憶部６４
ＡＰ記憶部６４は、所定の記憶容量を有する複数の記憶領域（例えばＡＰプログラム記憶領域６４１、ＡＰ第１データ記憶領域６４２、ＡＰ第２データ記憶領域６４３、及びＡＰリクエスト信号記憶領域６４４等）を有している。
【００７６】
ＡＰプログラム記憶領域６４１は、ＡＰ制御部６３における各部の処理を定義した制御プログラムを記憶している。ＡＰ第１データ記憶領域６４２は、ＷＡＮ３（及び伝送路４）を介して受信したデータ（表示データ）を一時的に記憶している。ＡＰ第２データ記憶領域６４３は、ＬＡＮ５を介して受信したデータ（装置ＩＤ情報）を一時的に記憶している。ＡＰリクエスト信号記憶領域６４４は、ＡＰリクエスト信号生成部６７によって生成されたリクエスト信号を一時的に記憶している。
【００７７】
（２−３−３−２）ＡＰ第１通信制御部６５
ＡＰ第１通信制御部６５は、ＡＰ第１通信部６１による信号の送受信（すなわち、ＷＡＮ３を介した管理サーバ２０との通信）を制御する機能部である。
【００７８】
ＡＰ第１通信制御部６５は、ＡＰ第１通信部６１を介してデータ（表示データ）を受信すると、受信したデータをＡＰ第１データ記憶領域６４２に格納する。なお、ＡＰ第１通信制御部６５は、リクエスト信号に対する応答として送信されたデータ（すなわち、管理サーバ２０から送信される表示データ）以外の受信データについては破棄する。これにより、不正なデータやセキュリティ上問題のあるデータがＬＡＮ５に向けて送信されないようになっている。すなわち、アクセスポイント６０においては、ＷＡＮ３側のポートにおいてファイアウォールが構築されている。
【００７９】
また、ＡＰ第１通信制御部６５は、ＡＰ第２データ記憶領域６４３に新たなデータ（装置ＩＤ情報）が格納されると、当該データを、ＡＰ第１通信部６１を介して管理サーバ２０（第２サーバ４０）へ向けて送信する。この際、ＡＰ第１通信制御部６５は、装置ＩＤ情報に中継装置としてのアクセスポイント６０の通信アドレスを付加して送信する。
【００８０】
また、ＡＰ第１通信制御部６５は、ＡＰリクエスト信号記憶領域６４４に新たなリクエスト信号が格納されると、当該リクエスト信号を、ＡＰ第１通信部６１を介して管理サーバ２０（第２サーバ４０）へ向けて送信する。この際、ＡＰ第１通信制御部６５は、リクエスト信号に送信元としてのアクセスポイント６０の通信アドレスを付加して送信する。
【００８１】
なお、信号を送受信する際の通信プロトコル、管理サーバ２０の送信アドレス、又は管理サーバ２０へのルーティング処理、アクセスポイント６０の通信アドレス等、ＡＰ第１通信制御部６５の各種処理や処理に必要な各種情報については制御プログラムに定義されている。
【００８２】
（２−３−３−３）ＡＰ第２通信制御部６６
ＡＰ第２通信制御部６６は、ＡＰ第２通信部６２による信号の送受信（すなわち、ＬＡＮ５を介した無線表示器１０又はハンディターミナル７０との通信）を制御する機能部である。
【００８３】
ＡＰ第２通信制御部６６は、ＡＰ第１データ記憶領域６４２に新たなデータ（表示データ）が格納されると、当該データを、宛先として指定されている無線表示器１０へ向けて送信する。
【００８４】
また、ＡＰ第２通信制御部６６は、ＡＰ第２通信部６２を介してデータ（装置ＩＤ情報）を受信すると、受信したデータをＡＰ第２データ記憶領域６４３に格納する。
【００８５】
ＡＰ第２通信制御部６６は、定期的にビーコンを生成して、物流センター１内において発信している。ビーコンは、アクセスポイント６０と無線表示器１０等とが無線通信を行うための接続（すなわちＬＡＮ５）を確立するための信号である。
【００８６】
なお、信号を送受信する際の通信プロトコル等、ＡＰ第２通信制御部６６の各種処理や処理に必要な各種情報については制御プログラムに定義されている。
【００８７】
（２−３−３−４）ＡＰリクエスト信号生成部６７
ＡＰリクエスト信号生成部６７は、所定のタイミングでリクエスト信号を生成する機能部である。ＡＰリクエスト信号生成部６７は、カウンタ等を含み、時間を計測可能に構成されている。ＡＰリクエスト信号生成部６７は、所定時間ｔ１毎（すなわち定期的）にリクエスト信号を生成する。ＡＰリクエスト信号生成部６７は、生成したリクエスト信号をＡＰリクエスト信号記憶領域６４４に格納する。
【００８８】
なお、所定時間ｔ１は、制御プログラムにおいて定義されている。本実施形態において、所定時間ｔ１は１０分に設定されている。
【００８９】
（２−４）ハンディターミナル７０
ハンディターミナル７０は、可搬性のデータ収集端末である。ハンディターミナル７０は、無線表示器１０の装置ＩＤと、物品Ｐの物品コードとを関連付けるリンク作業等に用いられる。リンク作業は、管理サーバ２０において、無線表示器１０の装置ＩＤと、物品Ｐの物品コードと、を関連付けて登録する作業である。ハンディターミナル７０は、作業員（物流センター１で働く従業員等）によって使用される。
【００９０】
ハンディターミナル７０は、各無線表示器１０の表示器識別用バーコード１５及び各物品Ｐに付された識別情報（すなわち各無線表示器１０の装置ＩＤ及び各物品Ｐの物品コード）を読み取るリーダを含んでいる（図示省略）。また、ハンディターミナル７０は、アクセスポイント６０と無線通信が可能な無線通信部を含んでいる（図示省略）。
【００９１】
ハンディターミナル７０は、作業員の操作に従い、いずれかの無線表示器１０の表示器識別用バーコード１５をスキャンすることで装置ＩＤを読み取るとともに、当該無線表示器１０に対応付けられる物品Ｐのバーコードをスキャンすることで物品コードを読み取った後、読み取った装置ＩＤ及び物品コードを関連付けた情報（装置ＩＤ情報）を管理サーバ２０へ宛ててアクセスポイント６０に対し送信する。
【００９２】
（３）管理サーバ２０の処理の流れ
図９は、管理サーバ２０の処理の流れの一例を示したフローチャートである。管理サーバ２０は、例えば、以下のような流れで処理を実行する。なお、以下の処理の流れについては、適宜変更が可能である。
【００９３】
ステップＳ１０１において、管理サーバ２０は、（ハンディターミナル７０から送信されアクセスポイント６０によって中継された）新たな装置ＩＤ情報を受信した場合には、ステップＳ１０２へ進む。一方、管理サーバ２０は、新たな装置ＩＤ情報を受信しない場合には、ステップＳ１０３へ進む。
【００９４】
ステップＳ１０２において、管理サーバ２０は、受信した装置ＩＤ情報に基づき、表示器情報テーブルＴＢ１を作成又は更新する。その後、ステップＳ１０３へ進む。
【００９５】
ステップＳ１０３において、管理サーバ２０は、アクセスポイント６０によって中継された新たなリクエスト信号を受信した場合には、ステップＳ１０４へ進む。一方、管理サーバ２０は、新たなリクエスト信号を受信しない場合には、ステップＳ１０５へ進む。
【００９６】
ステップＳ１０４において、管理サーバ２０は、受信したリクエスト信号に基づき、リクエストテーブルＴＢ３を作成又は更新する。その後、ステップＳ１０５へ進む。
【００９７】
ステップＳ１０５において、管理サーバ２０は、サーバ入出力部２０１を介して表示データに係る新たな入力信号（ユーザによるコマンドの入力）がある場合には、ステップＳ１０６へ進む。一方、管理サーバ２０は、新たな入力信号がない場合にはステップＳ１０８へ進む。
【００９８】
ステップＳ１０６において、管理サーバ２０は、入力信号に基づき、物品情報テーブルＴＢ２を更新する。その後、ステップＳ１０７へ進む。
【００９９】
ステップＳ１０７において、管理サーバ２０は、物品情報テーブルＴＢ２を参照して、表示データを適宜生成する。その後、ステップＳ１０８へ進む。
【０１００】
ステップＳ１０８において、管理サーバ２０は、リクエストテーブルＴＢ３を参照し、生成後、未だ送信していない表示データの中継先のアクセスポイント６０からリクエスト信号を正常に受信しているか否か（中継先のアクセスポイント６０から送信された直近のリクエスト信号を受信してから所定時間ｔ１が経過していないか否か、又はリクエスト信号を正常に受信していない中継先のアクセスポイント６０から新たにリクエスト信号を受信したか否か）を判定する。当該判定の結果、中継先のアクセスポイント６０からリクエスト信号を正常に受信している場合（すなわち、中継先のアクセスポイント６０から送信された直近のリクエスト信号を受信してから所定時間ｔ１が経過していない場合、又はリクエスト信号を正常に受信していない中継先のアクセスポイント６０から新たにリクエスト信号を受信した場合）には、ステップＳ１０９へ進む。一方、リクエスト信号を正常に受信していない場合（すなわち、中継先のアクセスポイント６０から送信された直近のリクエスト信号を受信してから所定時間ｔ１が経過している場合、又はリクエスト信号を正常に受信していない中継先のアクセスポイント６０から新たにリクエスト信号を受信していない場合）には、ステップＳ１０１へ戻る。
【０１０１】
ステップＳ１０９において、管理サーバ２０は、未送信の表示データを、対応する無線表示器１０に宛てて中継先のアクセスポイント６０に対し送信する。その後、ステップＳ１０１へ戻る。
【０１０２】
（４）アクセスポイント６０の処理の流れ
図１０は、アクセスポイント６０の処理の流れの一例を示したフローチャートである。アクセスポイント６０は、例えば、以下のような流れで処理を実行する。なお、以下の処理の流れについては、適宜変更が可能である。
【０１０３】
ステップＳ２０１において、アクセスポイント６０は、（管理サーバ２０から送信された）新たな表示データを受信した場合には、ステップＳ２０２へ進む。一方、アクセスポイント６０は、新たな表示データを受信しない場合には、ステップＳ２０３へ進む。
【０１０４】
ステップＳ２０２において、アクセスポイント６０は、受信した表示データを宛先の無線表示器１０に対して送信（転送）する。その後、ステップＳ２０３へ進む。
【０１０５】
ステップＳ２０３において、アクセスポイント６０は、（ハンディターミナル７０から送信された）新たな装置ＩＤ情報を受信した場合には、ステップＳ２０４へ進む。一方、アクセスポイント６０は、新たな装置ＩＤ情報を受信しない場合には、ステップＳ２０５へ進む。
【０１０６】
ステップＳ２０４において、アクセスポイント６０は、受信した新たな装置ＩＤ情報を、管理サーバ２０（第２サーバ４０）へ送信（転送）する。その後、ステップＳ２０５へ進む。
【０１０７】
ステップＳ２０５において、アクセスポイント６０は、前回のリクエスト信号（すなわち、送信した最後のリクエスト信号）を送信してから所定時間ｔ１が経過する場合には、ステップＳ２０６へ進む。一方、前回のリクエスト信号を送信してから所定時間ｔ１が経過しない場合には、ステップＳ２０１に戻る。
【０１０８】
ステップＳ２０６において、アクセスポイント６０は、リクエスト信号を生成して管理サーバ２０（第２サーバ４０）へ送信する。その後、ステップＳ２０１に戻る。
【０１０９】
（５）無線表示システム１００の動作
図１１は、無線表示システム１００において、無線表示器１０、管理サーバ２０、及びアクセスポイント６０間で行われる処理の一例を模式的に示したシーケンス図である。図１１では、説明を簡略化するために、無線表示器１０については複数ある無線表示器１０のうちの１台を表し、アクセスポイント６０については当該無線表示器１０の中継装置に相当するアクセスポイント６０のみを表している。
【０１１０】
図１１に示すように、無線表示システム１００では、アクセスポイント６０は、電源を投入されると、所定時間ｔ１毎に管理サーバ２０に対してリクエスト信号を送信する。
【０１１１】
また、ハンディターミナル７０は、読み取った無線表示器１０の装置ＩＤを、対応物品Ｐから読み取った物品コードとともに、装置ＩＤ情報として管理サーバ２０へ宛ててアクセスポイント６０に対し送信する。アクセスポイント６０は、受信した装置ＩＤ情報を管理サーバ２０へ送信する。管理サーバ２０は、受信した装置ＩＤ情報に基づき、表示器情報テーブルＴＢ１を更新する。
【０１１２】
また、管理サーバ２０は、システム管理者によって物品情報テーブルＴＢ２が更新に係るコマンドが入力されると、更新後の物品情報テーブルＴＢ２に沿って表示データを生成する。そして、管理サーバ２０は、リクエストテーブルＴＢ３に基づき表示データの中継先のアクセスポイント６０からリクエスト信号を正常に受信していること（すなわち、受信した直近のリクエスト信号から所定時間ｔ１が経過していないこと）を判別すると、生成した表示データを無線表示器１０に宛ててアクセスポイント６０に対して送信する。アクセスポイント６０は、受信した表示データを、宛先の無線表示器１０へ送信する。無線表示器１０は、受信した表示データに基づき物品情報を表示する。
【０１１３】
（６）無線表示システム１００におけるセキュリティ性
無線表示システム１００では、管理サーバ２０及びアクセスポイント６０間における表示データの送受信に関し、アクセスポイント６０が所定のタイミングでリクエスト信号を送信することによって新たな表示データの有無の問い合わせを行うポーリング方式が採用されている。具体的には、アクセスポイント６０が定期的に管理サーバ２０に対してリクエスト信号を送信し、管理サーバ２０が生成した表示データをリクエスト信号に対する応答としてアクセスポイント６０に対して送信している。そして、アクセスポイント６０は、リクエスト信号に対する応答として送信された表示データを受信し、ＬＡＮ５を介して宛先の無線表示器１０へと送信している。
【０１１４】
ここで、アクセスポイント６０は、リクエスト信号に対する応答として送信された表示データ以外のデータを受信した場合には、係るデータを破棄するように構成されている。すなわち、アクセスポイント６０は、リクエスト信号に対する応答として送信された表示データ以外のデータを受信した場合には、ＬＡＮ５に対して送信しないように構成されている。
【０１１５】
このようにアクセスポイント６０が構成されることで、無線表示システム１００では、ＷＡＮ３を介してＬＡＮ５に向けて送信された不正なデータやセキュリティ上問題のあるデータがＬＡＮ５に送られないようになっている。これにより、無線表示システム１００では、ＬＡＮ５（アクセスポイント６０）のＷＡＮ３側のポートにおいて、ファイアウォールが構築されており、セキュリティ性に優れている。
【０１１６】
（７）無線表示システム１００におけるリアルタイム性
無線表示システム１００では、管理サーバ２０からアクセスポイント６０に対する表示データの送信に関しては、表示データが生成されたタイミングで行われるようになっている。すなわち、管理サーバ２０からアクセスポイント６０に対する表示データの送信は、リクエスト信号に同期して行われる同期通信方式ではなく、リクエスト信号に同期せずに行われる非同期通信方式が採用されている。これにより、リアルタイム性に優れている。
【０１１７】
すなわち、非同期通信方式が採用されていることで、図１２に示すようなリクエスト信号に同期して表示データの送信が行われるいわゆる同期通信方式と比較して、リクエスト信号の送信間隔である所定時間ｔ１を大きく設定することが可能となっている。その結果、管理サーバ２０とアクセスポイント６０間における通信量が抑制され、ＷＡＮ３や伝送路４におけるトラフィック量の増加が抑制されている。
【０１１８】
また、同期通信方式を採用した場合、管理サーバ２０において、生成された表示データは、リクエスト信号が受信されたタイミングで送信されるため、所定時間ｔ１の大きさ及び表示データが生成されるタイミングによっては、表示データは生成された後直ちに送信されない。例えば、図１２においては、表示データが生成されてから送信されるまでに遅延時間ｔ２が生じている。このため、システム管理者のコマンド入力に基づいて生成された表示データが、無線表示器１０において表示されることが遅延しやすい。このように、同期通信方式を採用した場合には、応答速度の低下が懸念される。
【０１１９】
これに対し、無線表示システム１００では、非同期通信方式が採用されていることで、リクエスト信号が正常に送受信される環境においては、管理サーバ２０において表示データが生成された後、直ちに表示データが送信されるようになっている。このため、システム管理者のコマンド入力に基づいて生成された表示データが、無線表示器１０において表示されることが遅延しにくいようになっている。よって、応答速度の低下が抑制されている。
【０１２０】
このように、無線表示システム１００では、管理サーバ２０からアクセスポイント６０に対する表示データの送信に関して、非同期通信方式が採用されていることによりリアルタイム性に優れている。
【０１２１】
（８）無線表示システム１００における負荷分散
無線表示システム１００では、管理サーバ２０は、第１サーバ３０と、第２サーバ４０と、データベースサーバ５０と、がＷＡＮ３を介して通信可能に接続されることで構成されている。具体的に、管理サーバ２０では、第１サーバ３０と、第２サーバ４０と、データベースサーバ５０と、が図１３に示すように連携して処理を実行する。図１３は、無線表示システム１００において、第１サーバ３０、第２サーバ４０、及びデータベースサーバ５０間で行われる処理の一例を模式的に示したシーケンス図である。
【０１２２】
図１３の期間Ｓ１及びＳ５に示すように、管理サーバ２０では、アクセスポイント６０から送信されたリクエスト信号を第２サーバ４０が受信する。リクエスト信号を受信した第２サーバ４０は、リクエストテーブルＴＢ３を更新する。
【０１２３】
図１３の期間Ｓ２に示すように、管理サーバ２０では、アクセスポイント６０から送信された装置ＩＤ情報を第２サーバ４０が受信する。装置ＩＤ情報を受信した第２サーバ４０は、表示器情報テーブルＴＢ１を更新する。
【０１２４】
図１３の期間Ｓ３に示すように、管理サーバ２０では、第１サーバ３０がシステム管理者による物品情報テーブルＴＢ２の更新に係るコマンド入力を受けつける。第１サーバ３０は、入力されたコマンドに応じて物品情報テーブルＴＢ２を更新する。第１サーバ３０は、更新後の物品情報テーブルＴＢ２に基づき、表示データを生成する。第１サーバ３０は、生成した表示データをデータベースサーバ５０へ送信する。第１サーバ３０から表示データを送信されたデータベースサーバ５０は、受信した表示データを所定の記憶領域において格納する。第１サーバ３０は、新たな表示データを生成した事実、及び当該表示データを特定する情報を第２サーバ４０に通知すべく、第２サーバ４０へ通知信号を送信する。
【０１２５】
図１３の期間Ｓ４に示すように、管理サーバ２０では、第２サーバ４０は、通知信号を受信すると、通知信号において通知された表示データをデータベースサーバ５０から取得すべく、データベースサーバ５０に対して当該表示データの送信要求を行う。第２サーバ４０から送信要求を受けたデータベースサーバ５０は、対応する表示データを第２サーバ４０に対して送信する。表示データを受信した第２サーバ４０は、当該表示データを指定される無線表示器１０へ宛てて中継先のアクセスポイント６０に対して送信する。
【０１２６】
なお、図示は省略するが、第２サーバ４０は、表示データの送信を行う前に表示器情報テーブルＴＢ１及びリクエストテーブルＴＢ３を参照し、通知信号に係る表示データの中継先のアクセスポイント６０からリクエスト信号を正常に受信しているか否かを判定する。そして、第２サーバ４０は、リクエスト信号を正常に受信していると判定した場合に表示データの送信を行い、リクエスト信号を正常に受信していないと判定した場合には対応するリクエスト信号の受信を待って表示データの送信を行う。
【０１２７】
係る態様で、第１サーバ３０、第２サーバ４０、及びデータベースサーバ５０が連携することにより、表示データを生成する第１サーバ３０及びリクエスト信号を受信する第２サーバ４０間の同期が確保されている。その結果、無線表示システム１００では、管理サーバ２０の処理に関して負荷分散が実現されており、無線表示器１０の台数やアクセスポイント６０の台数等に応じて管理サーバ２０の負荷が増大する環境においても、管理サーバ２０における応答速度の低下が抑制されている。
【０１２８】
（９）無線表示システム１００の特徴
（９−１）
無線表示システム１００では、各無線表示器１０とアクセスポイント６０とはＬＡＮ５を介して無線通信を行い、管理サーバ２０とアクセスポイント６０とはＷＡＮ３を介して通信を行い、アクセスポイント６０は管理サーバ２０から送信された表示データを受信して無線表示器１０へ送信するように構成されている。これにより、無線表示システム１００が適用される施設から離れた遠隔地に設置された管理サーバ２０を利用して無線表示システム１００を構築することが可能となっている。よって、導入コスト抑制や利便性向上が実現されている。
【０１２９】
また、無線表示システム１００では、管理サーバ２０とアクセスポイント６０とはポーリング方式によって通信を行い、アクセスポイント６０は所定のタイミングで管理サーバ２０に対してリクエスト信号を送信し、管理サーバ２０は受信したリクエスト信号の送信元のアクセスポイント６０に対して新たに生成された表示データを送信するように構成されている。これにより、アクセスポイント６０において、ＷＡＮ３側から受信するデータに関して、送信したリクエスト信号に対する応答信号としての表示データのみを受信するように構成することが可能となっている。すなわち、アクセスポイント６０においてＷＡＮ３側のポートにファイアウォールを構築することが可能となっている。よって、セキュリティ性の低下が抑制されている。
【０１３０】
また、無線表示システム１００では、管理サーバ２０とアクセスポイント６０における通信がポーリング方式によって行われることに関連し、管理サーバ２０における表示データの送信についてはリクエスト信号に同期せずに行われる非同期通信方式が採用されている。これにより、管理サーバ２０において、受信したリクエスト信号の送信元のアクセスポイント６０に関して新たに生成された表示データを、生成された直後に送信することが可能となっている。すなわち、管理サーバ２０において応答性低下を抑制することが可能となっている。よって、リアルタイム性の低下が抑制されている。
【０１３１】
（９−２）
無線表示システム１００では、管理サーバ２０における表示データの送信に関して、リクエスト信号に同期せずに行う非同期通信方式が採用されている。すなわち、管理サーバ２０は、非同期通信方式でアクセスポイント６０と通信を行うように構成されている。これに関連して、管理サーバ２０は、リクエスト信号を受信後、受信したリクエスト信号の送信元のアクセスポイント６０に対して送信すべき新たな表示データが生成された時に、表示データを送信するように構成されている。
【０１３２】
これにより、管理サーバ２０において、送信されたリクエスト信号が保持され、受信したリクエスト信号の送信元のアクセスポイント６０に関して新たに表示データが生成された場合、当該表示データが直ちに送信される。すなわち、管理サーバ２０において応答性が向上している。よって、リアルタイム性に優れている。
【０１３３】
（９−３）
無線表示システム１００は、管理サーバ２０は、表示データを生成する第１サーバ３０と、第１サーバ３０によって生成された表示データを記憶するデータベースサーバ５０と、リクエスト信号を受信する第２サーバ４０と、を含んでいる。第１サーバ３０は、新たな表示データを生成した場合、新たな表示データを生成したことを通知する信号である通知信号を第２サーバ４０に対して送信している。第２サーバ４０は、通知信号を受信した場合、受信した通知信号に係る表示データを、データベースサーバ５０から取得してアクセスポイント６０に対して送信している。
【０１３４】
これにより、管理サーバ２０において負荷分散が実現されている。その結果、管理サーバ２０において処理すべき負荷が増大した時であっても応答性の低下が抑制されており、リアルタイム性に優れている。
【０１３５】
（１０）変形例
上記実施形態の無線表示システム１００は、以下の変形例に示すように適宜変形が可能である。なお、各変形例は、矛盾が生じない範囲で他の変形例と組み合わせて適用されてもよい。
【０１３６】
（１０−１）変形例Ａ
上記実施形態では、無線表示システム１００は、配送センターや出荷センター等の物流センター１に適用されていた。しかし、無線表示システム１００が適用される環境は、必ずしも物流センター１に限定されず、例えば工場、医療施設、商業施設、公共施設又はオフィスにおいて案内表示を行うシステムとして適用されてもよい。
【０１３７】
係る場合には、無線表示器１０において、各工程の内容や処理時間等の作業に関する情報を表示するように構成してもよい。また、無線表示器１０において、患者の氏名や薬品のリスト等の来院者や調剤作業に関する情報を表示するようにしてもよい。また、無線表示器１０において、使用者に関する情報や、マップ等の位置情報、時刻に関する情報、又は順番に関する情報等を表示するようにしてもよい。
【０１３８】
（１０−２）変形例Ｂ
無線表示システム１００では、管理サーバ２０における表示データの送信に関して、リクエスト信号に同期せずに行う非同期通信方式が採用されていた。この点、管理サーバ２０において新たに生成された表示データが直ちに送信されることで応答性を向上させるという観点によれば、管理サーバ２０における表示データの送信に関して非同期通信方式が採用されることが望ましい。
【０１３９】
しかし、管理サーバ２０における表示データの送信に関しては、必ずしも非同期通信方式である必要はなく、例えば図１２に示すような同期通信方式が採用されてもよい。すなわち、管理サーバ２０からアクセスポイント６０に対する表示データの送信が、リクエスト信号に同期して行われるように構成されてもよい。
【０１４０】
係る場合でも、上記実施形態と同様、アクセスポイント６０のＷＡＮ３側のポートにファイアウォールを構築することは可能であるため、セキュリティ性については確保される。また、管理サーバ２０における負荷分散についても上記実施形態と同様に実現されることで、応答性の低下が抑制される。
【０１４１】
（１０−３）変形例Ｃ
上記実施形態では、管理サーバ２０は、表示データを生成する第１サーバ３０と、リクエスト信号を受信する第２サーバ４０と、第１サーバ３０によって生成された表示データを記憶するデータベースサーバ５０と、を含み、各部がＷＡＮ３を介して接続されることで連携して処理を実行していた。
【０１４２】
ここで、第１サーバ３０と、第２サーバ４０と、データベースサーバ５０と、は必ずしもＷＡＮ３を介して接続される必要はなく、ＬＡＮや他のネットワークを介して通信可能に接続されるように構成してもよい。
【０１４３】
また、第１サーバ３０及び／又はデータベースサーバ５０は、第２サーバ４０に含まれるように構成されてもよい。また、データベースサーバ５０は、第１サーバ３０に含まれるように構成されてもよい。
【０１４４】
また、第１サーバ３０及び／又はデータベースサーバ５０については、必ずしも管理サーバ２０に含まれる必要はなく、他の装置に含まれていてもよい。係る場合、管理サーバ２０は、リクエスト信号を受信するとともに、受信したリクエスト信号に対する応答として、他の装置によって生成又は記憶された表示データを取得しアクセスポイント６０に対して送信するように構成されればよい。
【０１４５】
（１０−４）変形例Ｄ
上記実施形態では、アクセスポイント６０がリクエスト信号を送信する間隔である所定時間ｔ１は、１０分に設定されていた。しかし、所定時間ｔ１は、必ずしも１０分には限定されず、設計仕様や設置環境に応じて適宜変更が可能である。例えば、所定時間ｔ１は、３分に設定されてもよいし、１５分に設定されてもよい。
【０１４６】
（１０−５）変形例Ｅ
上記実施形態では、情報表示部１２は、電子ペーパを有していた。しかし、情報表示部１２は、電子ペーパに代えて、液晶及び液晶駆動電極部を含む液晶部を有していてもよい。係る場合には、表示器制御部１４が液晶の動作の制御を行うように構成すればよい。
【０１４７】
（１０−６）変形例Ｆ
上記実施形態では、ＬＡＮ５（すなわち、無線表示器１０及びアクセスポイント６０間）においては、２．４ＧＨｚ帯の電波を用いた無線通信が行われていた。しかし、ＬＡＮ５において行われる通信の態様については必ずしもこれに限定されず、適宜変更が可能である。
【０１４８】
例えば、ＬＡＮ５においては、他の周波数帯（例えば５ＧＨｚ帯）の電波を用いた無線通信が行われるように構成されてもよい。
【０１４９】
また、ＬＡＮ５においては、赤外線を用いたＩｒＤＡ通信方式によって、無線通信が行われるように構成されてもよい。係る場合、ＬＡＮ５においては、アクセスポイント６０に代えて、管理サーバ２０と通信を行うベースステーションと、当該ベースステーションと電気的に接続され無線表示器１０に対して表示データの送信を行うトランシーバと、が配置される。
【０１５０】
また、ＬＡＮ５においては、光や音波を用いて無線通信が行われるように構成されてもよい。係る場合には、ＬＡＮ５において、通信方式に対応する所定のインターフェースを配置すればよい。
【０１５１】
（１０−７）変形例Ｇ
上記実施形態では、無線表示器１０の台数、及びアクセスポイント６０の台数については、特に限定されていなかったが、無線表示システム１００では、設置環境に適した台数の無線表示器１０がそれぞれ配置されればよい。
【０１５２】
（１０−８）変形例Ｈ
上記実施形態では、各無線表示器１０が識別情報保持部としての表示器識別用バーコード１５を有し、ハンディターミナル７０が表示器識別用バーコード１５を読み取って管理サーバ２０へ送信するように構成されていた。
【０１５３】
しかし、表示器識別用バーコード１５に代えて、無線通信（例えばNFC (Near Field Communication）や、RFID（radio frequency identifier）を行うための通信モジュールを配置してもよい。係る場合、表示器記憶部１４１に、自己の装置ＩＤを記憶するための記憶領域を設け、ハンディターミナル７０に対応する通信モジュールを配置することでハンディターミナル７０と各無線表示器１０とを通信可能に構成し、ハンディターミナル７０が無線通信によって各無線表示器１０から装置ＩＤを取得するように構成すればよい。
【０１５４】
（１０−９）変形例Ｉ
上記実施形態では、ハンディターミナル７０が、各無線表示器１０の装置ＩＤ及び対応物品Ｐの物品コードを読み取るとともに、管理サーバ２０に対して送信するように構成されていた。しかし、ハンディターミナル７０は必ずしも必須ではなく、ハンディターミナル７０を省略してシステムを構成してもよい。
【０１５５】
係る場合、各無線表示器１０が、自己の装置ＩＤを、アクセスポイント６０を介して管理サーバ２０へ送信するように構成するとともに、システム管理者が、サーバ入出力部２０１を介して、各無線表示器１０に対応する対応物品Ｐの物品コード等を、装置ＩＤと関連付けて登録するようにしてもよい。または、システム管理者が、サーバ入出力部２０１を介して、各無線表示器１０の装置ＩＤ情報を個別に入力するようにしてもよい。
【産業上の利用可能性】
【０１５６】
本発明は、無線表示システムに利用可能である。
【符号の説明】
【０１５７】
１        ：物流センター
２        ：保管セクション
３        ：ＷＡＮ
４        ：伝送路
５        ：ＬＡＮ
１０      ：無線表示器
１１      ：表示器通信部
１２      ：情報表示部
１３      ：電源部
１４      ：表示器制御部
１５      ：表示器識別用バーコード
２０      ：管理サーバ
３０      ：第１サーバ（第１管理サーバ）
４０      ：第２サーバ（第２管理サーバ）
５０      ：データベースサーバ（表示データ記憶部）
６０      ：アクセスポイント（中継装置）
７０      ：ハンディターミナル
１００    ：無線表示システム
１０１    ：表示器ケーシング
Ｐ        ：物品
ＴＢ１    ：表示器情報テーブル
ＴＢ２    ：物品情報テーブル
ＴＢ３    ：リクエストテーブル
ｔ１      ：所定時間
【先行技術文献】
【特許文献】
【０１５８】
【特許文献１】特開２００７−１８２２８０号公報
【図１】
2017057058.tif 000003
【図２】
2017057058.tif 000004
【図３】
2017057058.tif 000005
【図４】
2017057058.tif 000006
【図５】
2017057058.tif 000007
【図６】
2017057058.tif 000008
【図７】
2017057058.tif 000009
【図８】
2017057058.tif 000010
【図９】
2017057058.tif 000011
【図１０】
2017057058.tif 000012
【図１１】
2017057058.tif 000013
【図１２】
2017057058.tif 000014
【図１３】
2017057058.tif 000015